(57)【要約】【課題】例えばプリンタによって形成される画像の歪みを低減する。【解決手段】ラインヘッドモジュール１０１では、駆動用ＩＣチップ１４を実装する際に素子基板１０が湾曲することによって生じる複数の光源７２相互の位置ずれを考慮して、駆動用ＩＣチップ１４を素子基板１０上に実装する前に、予め各光源７２が素子基板１０上の適切な位置に配置されている。ラインヘッド１における駆動用ＩＣチップ１４の分布の不均一性、及び実装時の熱に起因してラインヘッドが変形することによって、この変形によって複数の光源７２がＸ方向に沿って一直線状に並ぶように複数の光源７２相互の相対的な位置が補正される。【選択図】図５
2007253451.tif 000002
【特許請求の範囲】
【請求項１】
基板、及び該基板の長さ方向に沿って配列された複数の光源を有するラインヘッドと、
該ラインヘッドに対向配置されており、前記長さ方向に沿って配列された複数のレンズ
素子を有するレンズアレイとを備え、
前記光源を駆動するための駆動回路部を前記ラインヘッドに実装する前に、前記ライン
ヘッドの幅方向における前記複数の光源相互の相対的な位置を補正すること
を特徴とするラインヘッドモジュール。
【請求項２】
前記複数の光源の夫々は、前記駆動用回路部が前記ラインヘッドに実装された場合に、
前記長さ方向に沿った方向から前記複数の光源を見て、前記複数の光源を結んでなる発光
ラインと前記複数のレンズ素子の中心を結んでなる中心ラインとが互いに重なるように、
前記駆動回路部が実装される前に前記基板上における所定の位置に配置されていること
を特徴とする請求項１に記載のラインヘッドモジュール。
【請求項３】
前記駆動回路部は、前記基板上における前記長さ方向に沿って延びる一対の縁の一方の
縁に沿って延びる領域に実装された複数の駆動用ＩＣチップであること
を特徴とする請求項１に記載のラインヘッドモジュール。
【請求項４】
前記レンズ素子は、該レンズ素子の径方向に沿って互いに異なる屈折率を有する屈折率
分布型レンズであること
を特徴とする請求項１から３の何れか一項に記載のラインヘッドモジュール。
【請求項５】
前記複数の光源は、有機ＥＬ素子を用いて構成されることを特徴とする請求項１から４
の何れか一項に記載のラインヘッドモジュール。
【請求項６】
請求項１から５の何れか一項に記載のラインヘッドモジュールを具備してなること
を特徴とする電子機器。
【発明の詳細な説明】
【技術分野】
【０００１】
本発明は、ラインヘッドモジュール、及びこのラインヘッドモジュールを備えた、例え
ばプリンタ、或いはスキャナ等の電子機器の技術分野に関する。
【背景技術】
【０００２】
この種のラインヘッドモジュールでは、例えば、ラインヘッドから出射される光をレン
ズアレイにより集光して、感光体上に結像させる。このようなラインヘッドモジュールに
おいて、ラインヘッドには、例えば有機ＥＬ(Electro-Luminescence)素子が光源として含
まれる。
【０００３】
ラインヘッドモジュールを備えたプリンタ、或いはスキャナ等の電子機器では、当該ラ
インヘッドを含む光学系及び感光ドラム等の相対的な位置ずれを補正し、高品位の画像を
形成する技術が開示されている（例えば、特許文献１。）。
【０００４】
【特許文献１】特開昭６３−２７１２７５号公報
【発明の開示】
【発明が解決しようとする課題】
【０００５】
この種のラインヘッドモジュールでは、駆動用ＩＣ等の駆動用回路が、ラインヘッド上
にボンディング法によって実装され、ラインヘッドモジュールの動作時に有機ＥＬ素子等
の光源が駆動用回路によって駆動される。
【０００６】
しかしながら、このようなラインヘッドにおいて、有機ＥＬ素子等の光源が形成される
基板にガラス基板を用いた場合には、駆動用ＩＣをガラス基板に実装する際に加わる熱に
よって当該ガラス基板が湾曲し、光源の位置がずれてしまう。より具体的には、例えば、
基板上において当該基板の長さ方向に沿って複数の光源を一直線上に配列させておいたと
しても、ラインヘッドの湾曲等の変形によって複数の光源相互の相対的な位置がずれてし
まい、駆動用回路をラインヘッドに実装した後では、これら複数の光源が一直線上に並ん
でいないことがある。
【０００７】
このような複数の光源相互の相対的な位置がずれた状態で、ラインヘッド上にレンズア
レイを配置すると、レンズアレイ及びラインヘッドを精度良く位置合わせてラインヘッド
モジュールを組み上げたとしても、複数の光源の発光ラインをレンズアレイの中心ライン
に重なる合わせることができない。したがって、ラインヘッドモジュールの長さ方向に沿
って、レンズアレイの中央付近のレンズで集光された光が結像することによって形成され
た像は、端付近のレンズで集光された光が結像することによって形成された像に比べて歪
んだ像となり、例えばプリンタ等の電子機器において、最終的に紙に印刷された印刷画像
の品位の低下を招く問題点がある。
【０００８】
よって、本発明は上記問題点に鑑み成されたものであり、例えばプリンタ等で印刷され
る印刷画像の品位を高めることができる露光ヘッド等に用いられるラインヘッドモジュー
ル、及びそのようなラインヘッドモジュールを具備してなるプリンタ、或いはスキャナ等
の電子機器を提供することを課題とする。
【課題を解決するための手段】
【０００９】
本発明のラインヘッドモジュールは上記課題を解決するために、基板、及び該基板の長
さ方向に沿って配列された複数の光源を有するラインヘッドと、該ラインヘッドに対向配
置されており、前記長さ方向に沿って配列された複数のレンズ素子を有するレンズアレイ
とを備え、前記光源を駆動するための駆動回路部を前記ラインヘッドに実装する前に、前
記ラインヘッドの幅方向における前記複数の光源相互の相対的な位置を補正する。
【００１０】
本発明に係るラインヘッドによれば、その動作時には、基板上において、例えば１列或
いは２列などの基板の長さ方向に沿ってライン状に配列された光源から出射される光を、
駆動回路部から各光源に供給される駆動信号に応じて夫々、オン・オフ制御することによ
って、多様な画像形成を行うことができる。駆動回路部は、例えば光源毎に、或いは所定
の個数の光源を一群とするグループ毎に基板上に設けられており、後述するように駆動回
路部をラインヘッドに実装した際にラインヘッドに加わる熱によって、基板上における駆
動用回路部の不均一な配置に応じてラインヘッドに湾曲等の変形が生じる。
【００１１】
レンズアレイは、当該ラインヘッドモジュールの動作時に、複数の光源から出射された
光を基板の長さ方向に沿って配列されたレンズ素子を介して集光し、レンズアレイを基準
としてラインヘッドと反対側に当該集光された光を結像させる。
【００１２】
ラインヘッドは、ラインヘッドに駆動回路部を実装した際に加わる熱によって変形する
。したがって、仮に、基板上において当該基板の長さ方向に沿って複数の光源が一直線の
発光ラインを形成するように配置されていたとしても、ラインヘッドの変形によって発光
ラインが一直線にならず、発光ラインがレンズ素子の中心ラインからずれてしまう。より
具体的には、駆動用回路部をラインヘッドに実装する際に当該ラインヘッドに加わる熱は
、基板上における駆動用回路部の配置に応じて不均一にラインヘッドに加わる。したがっ
て、基板の各部分における熱膨張、及び熱容量の相違に起因してラインヘッドが当該ライ
ンヘッドの幅方向に沿って湾曲し、予め発光ラインが一直線状になるように複数の光源を
配置したとしても、ラインヘッドの変形に伴い複数の光源相互の幅方向に沿った相対的な
位置がずれてしまう。このようにして複数の光源の相対的な位置がずれた状態でラインヘ
ッド及びレンズアレイを精度良く位置決めしてラインヘッドモジュールを組み上げたとし
ても、物理的に見てレンズ素子の中心ラインに重なるように発光ラインをライン状に揃え
ることはできない。
【００１３】
そこで、本発明に係るラインヘッドモジュールでは、駆動回路部をラインヘッドに実装
した際にラインヘッドに加わる熱に応じて生じたラインヘッドの変形によってラインヘッ
ドの幅方向における複数の光源相互の相対的な位置が補正されていることによって、複数
の光源を結んでなる発光ラインが複数のレンズ素子の中心ラインに重なっている。
【００１４】
ここで、「発光ライン」とは、基板の長さ方向に沿って配列された複数の光源相互を結
んだ仮想的な線である。より具体的は、発光ラインは、例えば複数の光源が基板の長さ方
向に沿って一列で配列されている場合には、これら複数の光源の中心を相互に結んでなる
線であり、複数の光源が基板の長さ方向に沿って互いに違いに２列で配列されている場合
には、基板の幅方向に沿って相互にずらして位置する光源間の中心の夫々を互いに結んで
なる線である。
【００１５】
また、「中心ライン」とは、複数のレンズ素子の中心を相互に結んでなる仮想的な線で
ある。より具体的には、中心ラインは、例えば、複数のレンズ素子が基板の長さ方向に沿
って一列で配列されている場合には、これら複数のレンズ素子の中心を相互に結んでなる
線であり、複数のレンズ素子が基板の長さ方向に沿って互い違いに２列で配列されている
場合（即ち、千鳥状に配置されている場合）には、基板の幅方向に沿って相互にずらして
位置するレンズ素子間の中心の夫々を互いに結んでなる線である。
【００１６】
したがって、ラインヘッド及びレンズアレイを組み上げた状態で、或いは組み上げる前
に、長さ方向に沿って複数の光源が一直線上に並ぶため、発光ラインは、ラインヘッド及
びレンズアレイを精度良く位置決めしておけば、中心ラインと相互に重なることになる。
【００１７】
このような発光ライン及び中心ラインが相互に重なっていることによって、複数の光源
の夫々から出射された光が効率良く複数のレンズ素子の夫々を介して集光される。加えて
、集光された光が結像されることによって形成された像は、基板の長さ方向に沿って、当
該ラインヘッドモジュールの中央付近及び端付近の夫々において、歪みが生じることがな
い。より具体的には、レンズアレイを基準としてラインヘッドの反対側において、各レン
ズ素子を介して集光された光がレンズアレイから夫々等しい距離で結像される。したがっ
て、例えば本発明に係るラインヘッドモジュールを用いて感光ドラム等を露光させた場合
、歪みが抑制された高品位の画像を形成できる。尚、複数の光源は、例えば駆動用回路部
を実装した段階で、発光ライン及び中心ラインが重なるように、予めラインヘッドの変形
量を見越して基板上に配置されている。
【００１８】
このように本発明に係るラインヘッドモジュールによれば、熱によって変形が生じる基
板を用いてラインヘッドを形成した場合でも、複数の光源の位置が適正な位置に補正され
るため、各レンズ素子を介して集光された光がレンズアレイから等しい距離で結像される
。したがって、本発明に係るラインヘッドモジュールをプリンタ、或いはスキャナ等の電
子機器が備える露光ヘッドに用いることによって、高品位の画像を形成できる。
【００１９】
本発明に係るラインヘッドモジュールの一の態様では、前記複数の光源の夫々は、前記
駆動回路部が前記ラインヘッドに実装された場合に、前記長さ方向に沿った方向から前記
複数の光源を見て、前記複数の光源を結んでなる発光ラインと前記複数のレンズ素子の中
心を結んでなる中心ラインとが互いに重なるように、前記駆動用回路部が実装される前に
前記基板上における所定の位置に配置されていてもよい。
【００２０】
この態様によれば、駆動用回路部の実装後に長さ方向に沿った方向から複数の光源を見
て、複数の光源が互いに重なるように予め複数の光源は基板上に配置されている。より具
体的には、例えば基板の熱膨張係数、或いは熱容量等の熱特性、及び駆動用回路部を実装
する前後におけるラインヘッドの温度変化に基づいてラインヘッドの熱膨張によるサイズ
の変化及び形状変化を実験的、理論的或いはシミュレーション的に算出しておき、算出さ
れたラインヘッドの変形量に基づいて複数の光源相互の相対的な位置の変化を見越してこ
れら複数の光源は基板上の所定の位置に配置されている。
【００２１】
この態様によれば、駆動用回路部をラインヘッドに実装した後、複数の光源の発光ライ
ンを一直線状に揃えることができるため、ラインヘッドモジュール及びレンズアレイを精
度良く位置決めしてラインヘッドモジュールを組み上げることによって、発光ライン及び
中心ラインを互いに重ね合わせることが可能である。
【００２２】
本発明に係るラインヘッドモジュールの他の態様では、前記駆動回路部は、前記基板上
における前記長さ方向に沿って延びる一対の縁の一方の縁に沿って延びる領域に実装され
た複数の駆動用ＩＣチップであってもよい。
【００２３】
この態様によれば、一方の縁に沿って延びる領域に実装された複数の駆動用ＩＣチップ
によって、幅方向に沿ってラインヘッドの中心を基準としてラインヘッドの熱膨張が不均
一となり、ラインヘッドが備える基板の基板面内に沿ってラインヘッドが湾曲する。より
具体的には、基板の長さ方向に沿ってラインヘッドの端ほど変形量が大きくなる。この態
様によれば、基板の長さ方向に沿ってラインヘッドの端ほど変形量が大きくなるようにラ
インヘッドが湾曲した場合でも、当該湾曲による複数の光源の相対的な位置ずれを低減す
るように予めこれら光源が所定の位置に配置されていることになる。
【００２４】
したがって、この態様によれば、ラインヘッドにおける駆動用ＩＣチップの分布の不均
一性、及び実装時の熱に起因してラインヘッドが変形したとしても、逆にこの変形を予め
見越して複数の光源を所定の位置に配置しておくことにより、駆動用ＩＣチップの実装に
よって、発光ライン及び中心ラインが重なるように各光源の位置が補正できる。
【００２５】
本発明に係るラインヘッドモジュールの他の態様では、前記レンズ素子は、該レンズ素
子の径方向に沿って互いに異なる屈折率を有する屈折率分布型レンズであってもよい。
【００２６】
この態様によれば、屈折率分布型レンズの一例であるセルフォック・レンズ・アレイ（
登録商標）を採用することにより、正立等倍像を歪みなく形成できる。
【００２７】
本発明に係るラインヘッドモジュールの他の態様では、前記複数の光源は、有機ＥＬ素
子を用いて構成されていてもよい。
【００２８】
この態様によれば、有機ＥＬ素子の高い発光効率を生かして高品位の画像を形成できる
。
【００２９】
本発明の電子機器は上記課題を解決するために、上述のラインヘッドモジュールを具備
してなる。
【００３０】
本発明に係る電子機器によれば、上述した本発明のラインヘッドモジュールを備えるの
で、ラインヘッドから出射された光の利用効率を向上させて、高品質な画像形成を行うこ
とが可能となるプリンタ、コピー、スキャナやファクシミリなどの各種電子機器を実現で
きる。
【００３１】
本発明のこのような作用及び他の利得は次に説明する実施の形態から明らかにされる。
【発明を実施するための最良の形態】
【００３２】
以下、本発明の実施形態を図面に基づいて説明する。尚、以下の実施形態では、有機Ｅ
Ｌ素子を光源とするラインヘッドを備えたラインヘッドモジュールを例に挙げて説明する
。
【００３３】
＜１：ラインヘッドモジュール＞
先ず、図１及び図２を参照して、本実施形態に係るラインヘッドモジュールの全体構成
について説明する。図１は、本実施形態に係るラインヘッドモジュールの構成を示す断面
図であって、図２は、ラインヘッドモジュールにおける、レンズアレイ及びラインヘッド
の配置関係を表す斜視図である。
【００３４】
尚、図１及び図２では、各部材を図面上で認識可能な程度の大きさとするため、該各部
材の縮尺を異ならしめてある。この点については、後述する図３以降の各図についても同
様である。
【００３５】
図１に示すように、本実施形態では、ラインヘッドモジュール１０１は、例えば支持部
材９０により一体的に支持された、ラインヘッド１と、レンズアレイ６０とを備える。ラ
インヘッド１は、その構成について詳細は後述するが、図２に示すように、ガラス基板等
の素子基板上に例えば素子基板の長さ方向に沿ってライン状に配列された複数の光源７２
を含み、その外周面における側面にて支持部材９０に支持される。尚、図２では、ライン
ヘッド１における複数の光源７２の配置について概略的に表してある。
【００３６】
図１及び図２において、集光光学系を構成するレンズアレイ６０は、各図中、支持部材
９０の上端部におけるスリット状の開口部に配置され、支持部材９０によって支持される
。レンズアレイ６０は、ラインヘッド１における複数の光源７２の配列方向に沿って、例
えば複数の屈折率分布型レンズ６０ａを千鳥状に２列に配列することにより構成される。
このようなレンズアレイ６０は、例えば、セルフォック（登録商標）レンズを配列させた
セルフォック・レンズ・アレイ（登録商標）により形成することができる。この場合、各
屈折率分布型レンズ６０ａは、円柱状のレンズであって、ラインヘッド１における任意の
一の光源７２から出射される光は、２以上の屈折率分布型レンズ６０ａによって集光され
る。この際、レンズアレイ６０は、光の入射面に対して垂直をなす方向から入射する光、
或いは該垂直方向に対して所定範囲内の角度をなす方向から入射する光を集光可能なよう
に形成されている。特に、レンズアレイ６０が、セルフォック・レンズ・アレイ（登録商
標）により形成される場合には、経験的に、レンズアレイ６０の光の入射面に対して垂直
方向付近から光を入射させることにより、集光可能な光量を増加させることができる。加
えて、屈折率分布型レンズ６０ａによれば、像面距離を小さくでき、ラインヘッドモジュ
ール１０１を小型化できる。
【００３７】
ここで、本実施形態に係るラインヘッドモジュール１０１は、後述するようにレンズア
レイ６０の中心ラインと、複数の光源７２の夫々の中心を結んでなる発光ラインとが重な
っているため、入射される光を集光して結像させるによって長さ方向に沿ってラインヘッ
ドモジュール１０１全体で歪みの低減された正立等倍実像を得ることが可能となる。尚、
レンズアレイ６０は、当該レンズアレイ６０に入射される光を集光可能な光学系として、
各種レンズに加え更にミラー等の光学素子により形成することができる。また、レンズア
レイ６０は、ラインヘッド１の各光源７２と一対一で対応し、対応する光源７２からの光
を夫々集光するように構成されてもよい。
【００３８】
本実施形態では、図１に示すように、ラインヘッドモジュール１０１において、ライン
ヘッド１とレンズアレイ６０との間には、第１の透明部材８０が設けられる。図１におい
ては、支持部材９０内における、ラインヘッド１とレンズアレイ６０との間の空間に第１
の透明部材８０が充填されて形成されている。第１の透明部材８０を所定の屈折率の材料
で形成しておけば、レンズアレイ６０を介して集光可能な光量を増加させることが可能で
ある。
【００３９】
ラインヘッドモジュール１０１の動作時には、光源７２のオン・オフが画像信号に応じ
て制御され、ラインヘッド１から出射される光によって多様な画像形成が行われる。
【００４０】
次に、図３及び図４を参照しながら、ラインヘッド１の構成を詳細に説明する。図３は
、ラインヘッド１の構成を模式的に示す平面図であり、図４は、各光源の駆動に係る構成
を示す図である。
【００４１】
図３において、ラインヘッド１は、同図中の左右方向を長さ方向とする短冊状の素子基
板１０上に、該素子基板１０の長さ方向に、複数の光源７２がライン状に配列されること
により構成されている。図３では、複数の光源７２を、素子基板１０の長さ方向に延びる
辺に沿って一列に配列した構成を示してある。尚、本実施形態では、素子基板１０上に、
該素子基板１０の一辺に沿って、複数の光源７２を２列以上に、例えばアレイ状に配列し
て形成するようにしてもよい。
【００４２】
素子基板１０上において、複数の光源７２の周辺部には、これらの光源７２を駆動する
ためのデータ線１３、外部回路接続配線１８、接地配線１９等の配線と共に、本発明の「
駆動用回路部」の一例を構成する複数の駆動用ＩＣチップ１４が設けられている。素子基
板１０上において、データ線１３及び駆動用ＩＣチップ１４から各光源７２に供給される
信号は、画素回路１５を介して各光源７２に供給される。駆動用ＩＣチップ１４からデー
タ線１３を介して複数の光源７２の夫々に供給される信号は、外部回路から外部回路接続
配線１８を介して各駆動用ＩＣチップ１４に供給される信号から生成される。
【００４３】
図４に示すように、各画素回路１５は、駆動用ＩＣチップ１４より例えば線順次に供給
されるライン走査信号Ｓ１、・・・、Ｓｎ、及びデータ線１３を介して図３及び図４に図
示しない外部回路より供給されるデータ信号により駆動状態が制御されるトランジスタＴ
Ｒ１及びＴＲ２を含む。画素回路１５の一方のトランジスタＴＲ２を介して、ライン走査
信号Ｓｉ（ｉ＝１、・・・、ｎ）に基づくタイミングで、データ信号に応じた電流が光源
７２に供給されることにより、光源７２は駆動される。
【００４４】
本実施形態では、光源７２は有機ＥＬ素子により形成されており、電圧プログラム方式
、電流プログラム方式等の各種方式で駆動される。有機ＥＬ素子７２の陽極はトランジス
タＴＲ２のドレインに電気的に接続されると共に、陰極は接地配線１９に電気的に接続さ
れる。トランジスタＴＲ２のソースは、該ソースに、画素回路１５の他方のトランジスタ
ＴＲ１を介して、トランジスタＴＲ２のゲートに供給されるデータ信号に応じた電流を供
給するための電源線に電気的に接続される。
【００４５】
次に、図５乃至図９を参照しながら、ラインヘッドモジュール１０１の具体的な構成を
説明する。図５は、ラインヘッドモジュール１０１を構成する主要部を示した分解斜視図
であり、図６は、ラインヘッドモジュール１０１の具体的な構成を示す平面図である。図
７は、駆動用ＩＣチップが実装される前の発光ラインの形状を示す概念図であり、図８は
、駆動用ＩＣチップが実装された後の発光ラインの形状を示す概念図である。図９は、本
実施形態に係るラインヘッドモジュールの比較例における、発光ライン及び中心ライン相
互の位置関係を示す平面図である。
【００４６】
図５において、ラインヘッドモジュール１０１は、ラインヘッド１、レンズアレイ６０
、及び複数の駆動用ＩＣチップ１４を備えている。
【００４７】
ラインヘッド１の平面形状は、短冊状であり、複数の駆動用ＩＣチップ１４は、素子基
板１０の長さ方向（図中Ｘ方向）に沿って延びる一対の縁の一方の縁に沿って延びる領域
に実装されている。したがって、複数の駆動用ＩＣチップ１４は、素子基板１０上におい
て、素子基板１０の幅方向（図中Ｙ方向）に沿ってラインヘッド１の中心を基準としてラ
インヘッド１の一方の縁に近い側にのみ実装されている。
【００４８】
駆動用ＩＣチップ１４は、ラインヘッドモジュール１０１を組み上げる前に、ボンディ
ング法によって素子基板１０に実装されている。したがって、図５に示すように、駆動用
ＩＣチップ１４を実装する際に素子基板１０に加わる熱、及び素子基板１０上における駆
動用ＩＣチップ１４の配置状態の不均一性によって、素子基板１０の熱膨張が不均一とな
り、図中Ｙ方向に沿ってラインヘッド１が湾曲している。特に、Ｘ方向に沿って素子基板
１０の端に近い側の部分は、素子基板１０の中央よりに位置する部分より変形量が大きく
なる。
【００４９】
したがって、仮に、素子基板１０上にＸ方向に沿って複数の光源７２を一直線状に配列
した場合には、素子基板１０の湾曲に応じて、複数の光源７２相互のＹ方向に沿った相対
的な位置がずれてしまい、図９に示すように、ラインヘッドモジュール１０１の中央付近
の領域Ｒｃにおいて、複数の光源７２の発光ラインＰＬｃと、レンズアレイ６０の中心ラ
インＣＬとがＹ方向に沿って相互にずれしまう。
【００５０】
そこで、本実施形態に係るラインヘッドモジュール１０１では、駆動用ＩＣチップ１４
を実装する際に素子基板１０が湾曲することによって生じる複数の光源７２相互の位置ず
れを考慮して、駆動用ＩＣチップ１４を素子基板１０上に実装する前に、予め各光源７２
が素子基板１０上の適切な位置に配置されている。
【００５１】
より具体的には、図７に示すように、ラインヘッド１における駆動用ＩＣチップ１４の
分布の不均一性、及び実装時の熱に起因してラインヘッドが変形したとしても、この変形
後に複数の光源７２がＸ方向に沿って一直線状に並ぶように複数の光源７２の中心を結ん
でなる発光ラインＰＬ１がＹ方向に沿って湾曲した形状となるように複数の光源７２の夫
々が配置されている。素子基板１０上における複数の光源７２の夫々の位置は、図８に示
すように、素子基板１０がＹ方向に沿って湾曲した後に、発光ラインＰＬ２がＸ方向に沿
って一直線状になるように実験的、理論的、或いはシミュレーション的に予め設定されて
いる。
【００５２】
したがって、複数の光源７２のＹ方向に沿った相対的な位置は、駆動用ＩＣチップ１４
を素子基板１０に実装する際に生じる素子基板１０の湾曲に応じて補正される。駆動用Ｉ
Ｃチップ１４を素子基板１０上に実装した後には、図５に示すように、複数の光源７２は
、Ｘ方向に沿って一直線状に並んでいる。
【００５３】
このようなラインヘッド１及びレンズアレイ６０を正確に位置決めして組み上げられて
なるラインヘッドモジュール１０１では、図６に示すように、レンズアレイ６０の上側か
らラインヘッドモジュール１０１を見た場合、複数の光源７２の発光ラインＰＬ２と、レ
ンズアレイ６０の中心ラインＣＬとが重なっている。
【００５４】
したがって、ラインヘッド１０１によれば、複数の光源７２の夫々から出射された光が
効率良く複数の屈折率分布型レンズ６０ａの夫々を介して集光される。加えて、ラインヘ
ッドモジュール１０１の中央付近の領域Ｒｃに位置する屈折率分布型レンズ６０ａを介し
て結像された像と、端付近の領域Ｒｅに位置する屈折率分布型レンズ６０ａを介して結像
された像とには、発光ラインＰＬ２及びレンズアレイ６０の中心ラインＣＬのずれに起因
して生じる歪みが殆ど生じない。より具体的には、レンズアレイ６０を基準としてライン
ヘッド１の反対側の結像面において、各レンズ素子を介して集光された光がレンズアレイ
から夫々等しい距離で結像される。したがって、例えば本実施形態に係るラインヘッドモ
ジュール１０１を用いて感光ドラム等を露光させた場合、歪みが抑制された高品位の画像
を形成できる。
【００５５】
よって、本実施形態に係るラインヘッドモジュール１０１によれば、歪みが抑制された
高品質な画像形成を行うことが可能となる。
【００５６】
＜２：露光装置＞
次に、図１０を参照して、本実施形態のラインヘッドモジュールを備える露光装置につ
いて説明する。図１０は、露光装置の構成を概略的に示す、図式的断面図である。このよ
うな露光装置は、本発明に係る電子機器の一例である。
【００５７】
図１０において、露光装置２００は、上述したラインヘッドモジュール１０１と、この
ラインヘッドモジュール１０１からの光によって露光される感光ドラム１００２とを含ん
でなる。より具体的には、ラインヘッドモジュール１０１において、レンズアレイ６０に
よって集光された光を、感光ドラム１００２の外周面に結像させることにより、露光する
。感光ドラム１００２は、図１０中矢印Ｒ０で示される方向に回転されることにより、そ
の外周面全域に亘って、ラインヘッドモジュール１０１によって露光することが可能なよ
うに構成されている。
【００５８】
＜３：画像形成装置＞
次に、図１１を参照して、図１０に示す露光装置を備えた画像形成装置の一例であるプ
リンタについて説明する。図１１は、プリンタの主要構成を示す図式的断面図である。尚
、以下では、イエロー（Ｙ）、マゼンダ（Ｍ）、シアン（Ｃ）、ブラック（Ｋ）用の４種
の露光装置を備えたカラープリンタを例に挙げて説明する。このような画像形成装置も本
発明の電子機器の一例である。
【００５９】
図１１において、プリンタは、ＹＭＣＫ用の４つの画像形成ユニット１００１Ｙ、１０
０１Ｍ、１００１Ｃ及び１００１Ｋを備え、これらのユニット１００１Ｙ、１００１Ｍ、
１００１Ｃ及び１００１Ｋには夫々、感光ドラム１００２及びラインヘッドモジュール１
０１を含む露光装置と、感光ドラムの周辺に配置されたクリーナ１０１１、帯電器１０１
２、現像器１０１３、転写ローラ１０１４が含まれる。尚、４種のユニット１００１Ｙ、
１００１Ｍ、１００１Ｃ及び１００１Ｋに夫々設けられた転写ローラ１０１４は、ローラ
１０２１、１０２２等の回転により循環駆動される転写ベルト１０２０の駆動方向に沿っ
て、回転する。また、各ユニット１００１Ｙ、１００１Ｍ、１００１Ｃ及び１００１Ｋに
おける感光ドラム１００２も、転写ベルト１０２０の駆動と同期して、図１１中の矢印方
向に夫々回転駆動される。
【００６０】
クリーナ１０１１により、感光ドラム１００２の表面に残ったトナーが除去された後、
帯電器１０１２によってコロナ放電等により感光ドラム１００２の外周面が帯電される。
続いて、ラインヘッドモジュール１０１による露光により、感光ドラム１００２の外周面
に静電潜像が形成される。続いて、Ｙ、Ｍ、Ｃ、Ｋのうち、４種のユニット１００１Ｙ、
１００１Ｍ、１００１Ｃ及び１００１Ｋに夫々対応する色のトナーを用いることで、現像
器１０１３による現像が行われ、感光ドラム１００２の表面には、トナー付着による可視
像たるトナー画像の形成が行われる。
【００６１】
他方、転写ベルト１０２０は、ローラ１０２１、１０２２等により回動されている。そ
して、各感光ドラム１００２に対向する転写位置にて、転写ローラ１０１４で裏側から押
された状態で、感光ドラム１００２上のトナー画像が転写ベルト１０２０上に転写される
。この転写されたトナー画像は、搬送装置１０３０により、図１１中の矢印方向に搬送さ
れるプリント用の紙１０５０上に更に転写される。続いて、紙１０５０上に転写されたト
ナー像は、定着器１０４０によって加熱加圧されることによって定着される。定着器１０
４０は、熱源を有する定着ローラ１４０とこれに圧接される加圧ローラ２４０とから構成
されている。そして、排出トレー上に画像形成済みの紙１０５０が排出される。
【００６２】
この他にも、本実施形態に係るラインヘッドモジュール１０１を、例えばサイクル方式
等のプリンタ、或いはコピー、ファクシミリ、或いはスキャナ等の電子機器に適用できる
。
【００６３】
本発明は、上述した実施形態に限られるものではなく、請求の範囲及び明細書全体から
読み取れる発明の要旨、あるいは思想に反しない範囲で適宜変更可能であり、そのような
変更を伴うラインヘッドモジュール、及びそのようなラインヘッドモジュールを備えた電
子機器もまた、本発明の技術的範囲に含まれるものである。
【図面の簡単な説明】
【００６４】
【図１】本実施形態に係るラインヘッドモジュールの構成を示す断面図である。
【図２】ラインヘッドモジュールにおける、レンズアレイとラインヘッドとの配置関係を表す斜視図である。
【図３】基板上に平面的に見たラインヘッドの構成を模式的に示す平面図である。
【図４】ラインヘッドにおける各光源の駆動に係る構成を示す図である。
【図５】ラインヘッドモジュール１０１を構成する主要部を示した分解斜視図である。
【図６】ラインヘッドモジュール１０１の具体的な構成を示す平面図である。
【図７】駆動用ＩＣチップが実装される前の発光ラインの形状を示す概念図である。
【図８】駆動用ＩＣチップが実装された後の発光ラインの形状を示す概念図である。
【図９】本実施形態に係るラインヘッドモジュールの比較例における、発光ライン及び中心ライン相互の位置関係を示す平面図である。
【図１０】本発明に係る電子機器の一例である露光装置の構成を概略的に示す、図式的断面図である。
【図１１】本発明に係る電子機器の一例であるプリンタの主要構成を示す図式的断面図である。
【符号の説明】
【００６５】
１・・・ラインヘッド、１４・・・駆動用ＩＣチップ、７２・・・光源、６０・・・レ
ンズアレイ、１０１…ラインヘッドモジュール
【図１】
2007253451.tif 000003
【図２】
2007253451.tif 000004
【図３】
2007253451.tif 000005
【図４】
2007253451.tif 000006
【図５】
2007253451.tif 000007
【図６】
2007253451.tif 000008
【図７】
2007253451.tif 000009
【図８】
2007253451.tif 000010
【図９】
2007253451.tif 000011
【図１０】
2007253451.tif 000012
【図１１】
2007253451.tif 000013